(57)【要約】【課題】地球温暖化を防ぐため、京都議定書がつくられ、二酸化炭素など温室効果ガスの排出削減を義務付けられている。いかにして温暖化を最小限に抑えることができるかが全世界の課題である。【解決手段】本案は引力エネルギーで大きなエネルギーを発生させ、石油等資源に乏しい我国に限らず自然エネルギーを利用するので、動力資源となる燃料は全く不要で、無煙、無臭、地球上どこにでも小さな設備で施設することができ、雨天風・気候・季節に関係なく年中、日夜を問わず稼動させることができ、自然環境に優しく新しいエネルギーの開発である。【選択図】図４
2012237302.tif 000002
【特許請求の範囲】
【請求項１】
四角型で長い剛管の先端に円筒を横にして、取り付け水中に沈めてゆき、円筒の中に外力で、左右に動くピストンを設え、ピストンが左右に動くたびに管内の空気を放出と注入を開閉器により同時に行うことにより、一度水中に放出した空気は、浮力で次ぎ次ぎと水車を回転させて、電気を発生させることを特徴とする浮力発電装置。
【発明の詳細な説明】
【技術分野】
【０００１】本発明は、自然エネルギーである浮力エネルギーを開発するもので、現在水のエネルギーを活用しているものは、水力発電、波力発電、潮汐発電等があるも、本発明のように同じ水を使った水の浮力エネルギーを人工的に発生させる装置は少ない。
【背景技術】
【０００２】水の性質を利用し、浮力のエネルギーを発生させるには、種々多様の方法もあるが、根本的にエネルギーを発生させる工程構造が異なり、いかにして、余分なエネルギーを抽出できるかが問題である。【０００３】本発明の浮力の対象物質は、空気を利用するもので、一般的に水より軽い空気を水中に沈め、水中に注入することは、注入する以上のエネルギーが必要で余分のエネルギーを抽出することは、不可能に近い。従って、自然の状態で発生させるには、何等かの外力が必要である。【０００４】それを解消するには本発明のピストンの特殊構造にあり、小さな外力で大きなエネルギーを増殖することができる。
【先行技術文献】
【特許文献】
【０００５】
【特許文献１】特許第４５０２０７４号においては、空気層を形成するエアータンクと、プロペラ付発電機を一体化した装置を水中に沈め、エアータンクの空気の浮力で発電機装置を上昇させ、又、エアータンクの空気を排出して、水をエアータンクに入れ、自重の重さで、発電装置を降下させ、上下運動を繰返すことにより、プロペラを回転させて、電気を起すものと理解するも、水中の空気の浮力と、水中に空気を注入する力が、同じか、又は浮力以上エネルギーが必要で、何等余分のエネルギーは発生しないものと思われる。従って文献１の発電装置は空気圧縮機の大きなエネルギーで稼働しているものと思料されます。
【発明の概要】
【発明が解決しようとする課題】
【０００６】現在、文明が発達すると、自然界にない核分裂のような原子力の平和的利用目的で大きなエネルギーを開発しているも、ややもすれば、事故が発生した場合、放射線が発生し、原爆を投下されたと同じ状況となって、人類が滅亡することにもなりかねない。現実にチェルノブイリ原発事故、スリーマイル島原発事故、日本の東電原発事故は言うまでもない。
これからは、原子力発電エネルギーを廃止し、自然エネルギーを見直す時代でもあり、又課題でもある。
【課題を解決するための手段】
【０００７】生活に欠かせない電力が、今、世界的に不足しており、エネルギーの開発が急務とされている。本案は公害のない自然エネルギーに着目し、一つは太陽系の熱エネルギーともう一つは地球と月との引力エネルギーとに大別されると思うが、太陽系熱エネルギーは夜間は発生しないので、効率的でない。
引力は１日２４時間発生しており、浮力と空気のエネルギーを使って人工的に浮力のエネルギーを発生させ、浮力本来のエネルギーを電気エネルギーに変換するものである。
【発明の効果】
【０００８】現在、電力エネルギーとして、水力発電があるが水力発電は、ダム建設等莫大な費用が必要で、又渇水期には水不足の不安がある。風力発電は風がないと発電できず、太陽光発電は、夜間は発電ができない。又、火力発電は常時燃料費用が必要で経済的でない。
本案はまず、公害のないエネルギーと、燃費不要のエネルギーと、１日２４時間、稼動できるエネルギーを発生させることができる、浮力エネルギーを開発したもので、浮力発電は利点が大きく、効果も大であり、公害と地球温暖化を防止するのに役立つエネルギーである。
【図面の簡単な説明】
【０００９】
【図１】（１）四角形の長い剛管の最下部に円形の筒を設けた斜視図  （２）ピストンの形状の略図
【図２】本発明の本体となる剛管とピストンを組合せた断面図
【図３】（１）図１のピストンの内部を改良し、４ヶ所の空気開閉弁を設け、ピストンが右より左に動いたときのピストン内部の空気の流れを示した断面図  （２）同じく、ピストンが反対に左より右側に動いた時のピストン内の空気の流れを示した断面図
【図４】本発明の全体断面図
【図５】ピストンと空気放出管、水車、空気集器等の配置断面図
【発明を実施するための形態】
【００１０】以下本発明の形態を図面を参照として説明する。
本発明は先に述べた通り浮力のエネルギーの開発であり、「浮力は流体内に一部、又は全体をつけている物体は、その流体からその物体が排除した流体の重さに等しい上向きの浮力を受ける」の法則があり、浮力を発生させるには、第一に空気を水の中に沈める必要がある。
【００１１】然し、一般常識では、水より軽い空気を水中に注入することは、水中に注入する以上のエネルギーが必要で、余分なエネルギーを発生させることは不可能に近い。
【００１２】本発明は、図２に示すように水中に長い剛管の下部にピストンを設えて固定して、ピストンを矢印の様に左右に動かすと、水の深さにほとんど関係なく、水の抵抗があるも、小さな力でピストンを動かすことができる。
【００１３】続いて、図３はピストンの内部を改良し、２個の空気室を設け、４個所の開閉弁を設けて、ピストンが左右に動く毎に１室には空気を注入し、もう１室は空気を放出する。
別々の二つの室の空気を注入と排出を同時に行うことにより稼動させる。
【００１４】図３の（１）で詳しく述べると、ピストンが右側より左側に矢印の方向に動いた場合、開閉弁の働きによりピストン内部は二つに分れ、右側の空気はピストンの力で押されて矢印のように放出管を通って水中に放出される。同時に左側の室には空気が注入される。
【００１５】図３の（２）は（１）の反対で、ピストンが左側より右側に押されて、移動し、左側の室の空気は空気放出管を通って、水中に放出され、右側の室には空気が注入される。
したがって、ピストンが左側、右側に動くたびにピストン内の弁の働きにより空気が水中に放出される。
【００１６】図４で、番号５の空気放出管より放出された空気は番号７の水車を回転させ、外気の空中に放出される。一度放出した空気は、同じ空気で何度でも浮力エネルギーを発生させることができ、本発明の特徴でもある
【００１７】水車が回転することにより番号８の発電機により電気は変電器に送られる。
【００１８】ピストンを動かすには、外力が必要で番号１０のモーターにより番号１２−（１）、１２−（２）の円盤を廻して、ピストンを動かす。以上により、小さなエネルギーで大きなエネルギーを生み出すことができる。
【００１９】地上での動力エンヂンは、吸入・圧縮・爆発・排気と４サイクルが普通で、本発明は、ピストンを水中に設け、空気の注入と放出を同時に行ない、一サイクルの工程で浮力エネルギーを発生させることも本案の特徴である。
【００２０】尚、ピストンを動かすエネルギーは地上に設けたモーターであるが、水の性質により深さが１０米深くなる毎に一気圧だけ増えることにもなるも、ピストンの水の抵抗は浅くとも深くとも比重に変りないため、ピストンの両面を押す力は同じで深さに関係なく、小さな力でピストンを動かすことはできる。
【産業上の利用可能性】
【００２１】本案の浮力エネルギーを発生させるには、小さな外力が必要であるが、何十倍ものエネルギーに増殖することができる。
特にエネルギーの素は▲１▼空気と水であり無尽蔵にあること。
▲２▼燃料等の物質は不要であること、▲３▼夜、昼、天候等に関係なく１日２４時間エネルギーを発生させることができる。
▲４▼自然エネルギーであり、万が一、事故、故障が生じても、放射線等人体に害がなく、ＣＯ２が発生しないので産業上の利用は大きい。
【符号の説明】
【００２２】  １        水面
２        空気口
３−（１）本体（四角型）
３−（２）本体（円筒型）
４        ピストン
５        空気放出管
６−（１）空気集器（１号）
６−（２）  〃    （２号）
７−（１）水車（１号）
７−（２）〃  （２号）
８−（１）発電機（１号）
８−（２）  〃  （２号）
９−（１）空気開閉弁（１）
９−（２）    〃    （２）
９−（３）    〃    （３）
９−（４）    〃    （４）
１０        モーター
１１        ベルト
１２−（１）円盤（１）
１２−（２）〃  （２）
１３        支持柱
１４        シャフト
１５        送電ケーブル
１６        変電器
【図１】
2012237302.tif 000003
【図２】
2012237302.tif 000004
【図３】
2012237302.tif 000005
【図４】
2012237302.tif 000006
【図５】
2012237302.tif 000007
【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
水車部までを水中に沈めて使用する発電装置であって、中空で長い剛管の先端に円筒を横にして取り付け、円筒の天面には空気放出管を設け、円筒の内部にピストンを取り付けることで、円筒とピストンで構成される２個の空気室を設け、前記空気室には４個所の開閉弁を設け、前記円筒内に設けたピストンが、外力により円筒内を左右に移動することで、剛管から取り込んだ空気を、空気室への注入と空気室から水中への放出を開閉弁により同時に行い、空気放出管から水中に放出された空気の浮力により、剛管に取り付けた水車を回転させることで、水車に連結された発電機を駆動することを特徴とする浮力発電装置。
【手続補正２】
【補正対象書類名】明細書
【補正対象項目名】００１２
【補正方法】変更
【補正の内容】
【００１２】
本発明は、図２及び図４に示すように水車部までを水中に沈めて使用する発電機であって、中空で長い剛管の下部にピストンを設えて固定して、ピストンを矢印の様に左右に動かすと、水の深さにほとんど関係なく、水の抵抗があるも、小さな力でピストンを動かすことができる。
【手続補正３】
【補正対象書類名】明細書
【補正対象項目名】００１３
【補正方法】変更
【補正の内容】
【００１３】
続いて、図３はピストン・内部を改良し、円筒とピストンで構成される２個の空気室を設け、４個所の開閉弁を設けて、ピストンが左右に動く毎に１室には空気を注入し、もう１室は空気を放出する。
別々の二つの室の空気を注入と排出を同時に行うことにより稼動させる。
【手続補正４】
【補正対象書類名】明細書
【補正対象項目名】００１４
【補正方法】変更
【補正の内容】
【００１４】
図３の（１）で詳しく述べると、ピストンが右側より左側に 矢印の方向に動いた場合、開閉弁の働きによりピストン内部は二つに分れ、右側の剛管から取り込んだ空気はピストンの力で押されて矢印のように、円筒の天面に設けられた空気放出管を通って水中に放出される。同時に左側の室には空気が注入される。  
【手続補正５】
【補正対象書類名】明細書
【補正対象項目名】００１６
【補正方法】変更
【補正の内容】
【００１６】
図４で、番号５の空気放出管より放出された空気は番号７の、剛管の上方部に取り付けた水車を回転させ、外気の空中に放出される。
一度放出した空気は、同じ空気で何度でも浮力エネルギーを発生させることができ、本発明の特徴でもある
【手続補正６】
【補正対象書類名】明細書
【補正対象項目名】００１７
【補正方法】変更
【補正の内容】
【００１７】
水車が回転することにより、水車に連結された番号８の発電機を駆動し、電気は変電器へ送られる。
【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
水車部までを水中に沈めて使用する発電装置であって、中空で長い剛管の先端に円筒を横にして取り付け、円筒の天面には空気放出管を設け、円筒の内部にピストンを取り付けることで、円筒とピストンで構成される２個の空気室を設け、前記２個空気室のそれぞれには２個所の開閉弁を設け、前記円筒内に設けたピストンが、外力により円筒内を左右に移動することで、剛管から取り込んだ空気を、一方の空気室への注入と他方の空気室から水中への放出を開閉弁により同時に行い、空気放出管から水中に放出された空気の浮力により、剛管に取り付けた水車を回転させることで、水車に連結された発電機を駆動することを特徴とする浮力発電装置。
【手続補正２】
【補正対象書類名】明細書
【補正対象項目名】００１３
【補正方法】変更
【補正の内容】
【００１３】
続いて、図３はピストン・内部を改良し、円筒とピストンで構成される２個の空気室を設け、前記２個の空気室のそれぞれには２個所の開閉弁を設けて、ピストンが左右に動く毎に、一方の１室には空気を注入し、他方の１室は空気を放出する。
別々の二つの室の空気を注入と排出を同時に行うことにより稼動させる。